(57)【要約】本発明は、本体と、本体の脱落を防止するために本の表紙または内部を挟むクリップとで構成され、クリップが本体に固定されているしおりに関する。このしおりは、簡単な構造を有し、容易に製造可能で、本に損傷を与えることなく様々な本に対して好適に繰り返し使用できる。
2004504175.tif 000002
【特許請求の範囲】
【請求項１】
しおりクリップを含むしおり本体を備えたしおりであって、しおりクリップがしおり本体上に取り付けられ、本からのしおりの脱落を避けるために、しおりクリップを本の表紙または内容ページに挟みつけるようにしたしおり。
【請求項２】
前記しおりクリップが、プラスチックまたは金属、その他の可撓性材料で形成されている請求項１記載のしおり。
【請求項３】
前記しおり本体が硬板タイプであり、前記しおりクリップがしおり本体の片側に固着されている請求項１記載のしおり。
【請求項４】
前記しおり本体が、屈曲可能であり、しおりクリップを取り付ける保護面と、屈曲面と、本の内部ページに挿入可能な折返シートとを備えている請求項１記載のしおり。
【請求項５】
前記しおりクリップが、しおり本体上に接着して取り付けられている請求項１乃至４記載のいずれかのしおり。
【請求項６】
前記しおりクリップが、しおり本体の穿孔またはスロットにクリップを挿入することによってしおり本体上に取り付けられている請求項１乃至４記載のいずれかのしおり。
【請求項７】
前記しおり本体および前記しおりクリップが、単一の材料を用いて一体物として形成され、前記しおりクリップが、しおり本体の片側を折り返すことによって形成されている請求項１乃至４記載のいずれかのしおり。
【請求項８】
前記屈曲面が、複数の平行な折り目または溝を備えている請求項４記載のしおり。
【請求項９】
前記しおり本体が、保護面と折返シートとを備えたプラスチックバッグで覆われており、保護面と折返シートとの間にはギャップが存在し、ギャップ内のプラスチックバッグ部が屈曲可能である請求項４記載のしおり。
【請求項１０】
前記保護面と前記折返シートが、熱融着によってプラスチックバッグの内部に設けられている請求項９記載のしおり。
【請求項１１】
前記屈曲面が、複数の平行な折り目または溝を備えている請求項９記載のしおり。
【請求項１２】
前記しおりクリップが、保護面を折り畳み形状に折り返すことによって形成されている請求項９記載のしおり。
【発明の詳細な説明】
【０００１】
本発明は、しおりに関し、特に、本に損傷を与えることなく、好適に本を挟むことのできるクリップを備えたしおりに関する。
【０００２】
図１は、複数の平行な折り目を有する既存のしおりを示す。特に、このしおりは、しおり本体１０と粘着面１４とを備えている。しおり本体１０は、保護面１１と、本に挿入可能な折返シート１２と、複数の平行な折り目１５を有する屈曲面１３とを備えている。使用時には、粘着面１４を本の表紙に接着して取り付け、対象となるページ位置をマークするために、折返シート１２を本の内部ページに挿入する。しかし、粘着面１４の粘着性が強すぎると、粘着面１４を本から剥がす時に必然的に本の紙部分に損傷を与えてしまう。結果的に、しおりは、１冊の本にしか使用することができず、再使用のために別の本にしおりを移すことができない。一方、粘着面１４の粘着性が弱すぎる場合は、何回か使用すると、面１４の接着性は、徐々に低下し失われてしまう。したがって、しおりはその実用性を失い、しおりの使用寿命が短くなる。
【０００３】
本発明の目的は、構造が簡単で、製造が容易で、柔軟かつ好適に使用できるという特徴を有する一方、何度も繰り返し使用できるしおりを提供することにある。
【０００４】
上記の目的を達成するために、本発明は、しおり本体を有するしおりであって、しおり本体の脱落を防止するために本の表紙または内部ページを挟むことができるクリップが、しおり本体上に設けられていることを特徴とするしおりを提供する。
【０００５】
しおり本体は、屈曲可能であり、しおりクリップを取り付ける保護面と、屈曲面と、本の内容ページに挿入可能な折返シートとを備えている。
【０００６】
クリップは、プラスチックまたは金属シート、その他の可撓性材料で形成可能である。
【０００７】
クリップは、しおり本体上に接着して取り付けるか、あるいは、しおり本体の穿孔またはスロットにクリップを挿入することによって、しおり本体に取り付けることができる。
【０００８】
しおり本体は、プラスチックバッグであってもよい（あるいは、プラスチックバッグで覆ってもよい）。保護面および折返シートは、プラスチックバッグの両端に配置されている。保護面と折返シートとの間にはギャップが存在する。ギャップ内のプラスチックバッグ部は、屈曲面として使用される。
【０００９】
上記の保護面および折返シートは、熱融着によってプラスチックバッグに取り付けることができる。
【００１０】
上記のしおりにおいて、しおり本体およびクリップは、単一の材料を用いて一体物として形成可能であり、しおり本体の一方端側を折り畳むことによってクリップを形成する。
【００１１】
図２Ａ、図２Ｂは、しおり本体２０とクリップ２４とを備えた本発明の第１の実施形態を示す。クリップ２４は、しおり本体２０上に取り付けられている。しおり本体２０は、屈曲可能であり、保護面２１と、本の内部ページに挿入可能な折返シート２２と、折返面２３とを備えている。
【００１２】
折返面２３は、屈曲可能な素材で形成され、その表面に複数の平行な折り目２５を形成してもよい。図２Ｃに示すように、使用時には、読書強調位置をマークするために、本の表紙の内部ページにクリップ２４を挟む。しおり本体は、本の上側または下側から本の内部ページに挿入可能である。読者が多数の読書強調点をマークする必要がある場合、このタイプのしおり数個を好適に使用できる。
【００１３】
クリップは、単に本の紙部分を挟むことができればよく、その構造に特に制限はない。
【００１４】
しおりのクリップは、金属またはプラスチック、その他の可撓性材料で形成可能である。
【００１５】
クリップは、しおり本体上に接着して取り付けるか、あるいは、しおり本体の穿孔またはスロットにクリップを挿入することによって、しおり本体に取り付けることができる。
【００１６】
図２Ｄ、図２Ｅは、本発明の第２の実施形態を示し、別のタイプのクリップ付きのしおりを示す。第２の実施形態のしおりは、しおり本体２０と、しおり本体上に取り付けられたクリップ２４とを備えている。しおり本体２０は、屈曲可能であり、保護面２１と、本の内部ページに挿入可能な折返シートと、折返面２３とを備えている。折返面２３は、可撓性材料で形成可能であり、その表面には溝２５ａを形成してもよい。
【００１７】
図３Ａ、図３Ｂは、本発明の第３の実施形態を示し、しおり本体３０とクリップ３４とを備えた硬板クリップしおりを示す。クリップ３４は、しおり本体３０上に取り付けられている。その使用状態の概略図である図３Ｃに示すように、対象となるページ位置をマークするために、クリップ３４を本の内部ページに直接挟みつける。使用法およびしおりの数は、図３Ｃに示したものに限定されない。ユーザは、自分自身の好みに応じて使用法を調整することができる。
【００１８】
図３Ｄ、図３Ｅは、本発明の第４の実施形態を示し、しおり本体３０とクリップ３４とを備えた硬板クリップしおりを示す。しおり本体３０およびクリップ３４は、単一の材料を用いて一体物として形成される。クリップ３４は、しおり本体の一方端側を折り返すことによって形成される。
【００１９】
図４Ａ、図４Ｂは、本発明の第５の実施形態を示し、しおり本体４０とクリップ４４とを備えたしおりを示す。しおり本体４０は、プラスチックバッグであり（あるいは、プラスチックバッグで覆われており）、プラスチックバッグの両端に保護面４１と折返シート４２とを備えている。折返シート４２は、本の内部ページに挿入可能である。保護面４１および折返シート４２は、紙またはプラスチックシートで形成されている。プラスチックバッグは屈曲可能であるので、保護面４１と折返シート４２との間のプラスチックバッグ表面部を、しおり本体４０の屈曲面４３として利用できる。クリップ４４は、保護面４０の上面のプラスチックバッグ表面上に取り付けることができる。
【００２０】
図５Ａ、図５Ｂは、本発明の第６の実施形態を示し、しおり本体５０とクリップ５４とを備えたしおりを示す。しおり本体５０は、紙またはプラスチックシート、加熱溶融によりプラスチックフィルムとなる材料により形成される。保護面５１と折返シート５２との間のプラスチックフィルムは、しおり本体５０の屈曲面６３として利用可能である。この面には、複数の平行な折り目または溝を形成してもよい。クリップ５４は、しおり本体５０の保護面上に取り付けられる。
【００２１】
図６Ａ、図６Ｂは、本発明の第７の実施形態を示し、しおり本体６０とクリップ６４とを備えたしおりを示す。しおり本体６０は、可撓性材料で形成され、保護面６１と、本の内部ページに挿入可能な折返シート６２と、屈曲面６３とを備えている。屈曲面６３には、複数の平行な折り目や溝を形成してもよい。クリップ６４は、保護面上に取り付けられる。
【００２２】
図７Ａ、図７Ｂは、本発明の第８の実施形態を示し、屈曲可能な素材で形成されたしおり本体７０を備えたしおりを示す。しおり本体７０は、保護面７１と、本の内部ページに挿入可能な折返シート７２と、屈曲面７３とをさらに備えている。屈曲面７３には、複数の平行な折り目や溝を形成してもよい。保護面７１は、折り畳み形状となっており、クリップとして機能する。
【００２３】
図８Ａ、図８Ｂは、本発明の第９の実施形態を示し、小さな書籍カードや名刺などとして使用するために、しおり本体８０に模様を描いたり、様々な芸術的な形態とすることができるしおりを示す。
【００２４】
上記の実施形態から明らかなように、本発明の新規なしおりは以下の利点を有する。
１．ユーザがしおりを用いて本の読書強調部をマークする時に、しおりクリップを脱落なしに本の内部ページまたは表紙に挟みつけることができる。
２．ある本から別の本にしおりを移して、様々な本に再使用することができる。
３．しおり本体は、小さな書籍カードや名刺などとして使用するために、模様を描いたり、様々な芸術的な形態とすることができる。
【図面の簡単な説明】
【図１】
図１は、既存のしおりの概略図である。
【図２Ａ】
図２Ａは、本発明の第１の実施形態の斜視図である。
【図２Ｂ】
図２Ｂは、本発明の第１の実施形態の側面図である。
【図２Ｃ】
図２Ｃは、本発明の第１の実施形態の使用状態の斜視図である。
【図２Ｄ】
図２Ｄは、本発明の第２の実施形態の斜視図である。
【図２Ｅ】
図２Ｅは、本発明の第２の実施形態の側面図である。
【図３Ａ】
図３Ａは、本発明の第３の実施形態の斜視図である。
【図３Ｂ】
図３Ｂは、本発明の第３の実施形態の側面図である。
【図３Ｃ】
図３Ｃは、本発明の第３の実施形態の使用状態である。
【図３Ｄ】
図３Ｄは、本発明の第４の実施形態の斜視図である。
【図３Ｅ】
図３Ｅは、本発明の第４の実施形態の側面図である。
【図４Ａ】
図４Ａは、本発明の第５の実施形態の斜視図である。
【図４Ｂ】
図４Ｂは、本発明の第５の実施形態の側面図である。
【図５Ａ】
図５Ａは、本発明の第６の実施形態の斜視図である。
【図５Ｂ】
図５Ｂは、本発明の第６の実施形態の側面図である。
【図６Ａ】
図６Ａは、本発明の第７の実施形態の斜視図である。
【図６Ｂ】
図６Ｂは、本発明の第７の実施形態の側面図である。
【図７Ａ】
図７Ａは、本発明の第８の実施形態の斜視図である。
【図７Ｂ】
図７Ｂは、本発明の第８の実施形態の側面図である。
【図８Ａ】
図８Ａは、本発明の第９の実施形態の斜視図である。
【図８Ｂ】
図８Ｂは、本発明の第９の実施形態の斜視図である。
【図１】
2004504175.tif 000003
【図２Ａ】
2004504175.tif 000004
【図２Ｂ】
2004504175.tif 000005
【図２Ｃ】
2004504175.tif 000006
【図２Ｄ】
2004504175.tif 000007
【図２Ｅ】
2004504175.tif 000008
【図３Ａ】
2004504175.tif 000009
【図３Ｂ】
2004504175.tif 000010
【図３Ｃ】
2004504175.tif 000011
【図３Ｄ】
2004504175.tif 000012
【図３Ｅ】
2004504175.tif 000013
【図４Ａ】
2004504175.tif 000014
【図４Ｂ】
2004504175.tif 000015
【図５Ａ】
2004504175.tif 000016
【図５Ｂ】
2004504175.tif 000017
【図６Ａ】
2004504175.tif 000018
【図６Ｂ】
2004504175.tif 000019
【図７Ａ】
2004504175.tif 000020
【図７Ｂ】
2004504175.tif 000021
【図８Ａ】
2004504175.tif 000022
【図８Ｂ】
2004504175.tif 000023
【国際公開パンフレット】
2004504175.tif 000024
2004504175.tif 000025
2004504175.tif 000026
2004504175.tif 000027
2004504175.tif 000028
2004504175.tif 000029
2004504175.tif 000030
2004504175.tif 000031
2004504175.tif 000032
2004504175.tif 000033
2004504175.tif 000034
2004504175.tif 000035
2004504175.tif 000036
2004504175.tif 000037
2004504175.tif 000038
2004504175.tif 000039
2004504175.tif 000040
2004504175.tif 000041
【国際調査報告】
2004504175.tif 000042
2004504175.tif 000043
2004504175.tif 000044
2004504175.tif 000045